(57)【要約】【課題】伝送遅延時間が要求されるランダムアクセスベースでの通信の優先制御により、優先トラヒックの伝送遅延時間を保証する無線通信方法、無線通信システム、および基地局を提供することにある。【解決手段】基地局３０は、平均伝送遅延時間を保証するため、測定区間測定部３１により優先クラスにおいて測定区間の測定を行い、要求時間算出部３２により要求値の測定区間に相当する要求時間を算出し、これらの平均値である平均測定時間および平均要求時間に応じたランダムアクセス領域長、すなわち、Ｒｃｈスロット数（ランダムアクセス領域長）を動的に制御するものである。【選択図】図１
2010050632.tif 000002
【特許請求の範囲】
【請求項１】
複数の端末局が共通の無線回線により基地局と接続され、
前記基地局は、前記無線回線における無線フレーム内の上り通信用帯域のうち割当済みの帯域をデマンドアサイン区間、残りの帯域をランダムアクセス区間として管理し、前記ランダムアクセス区間で受信した前記端末局からの帯域割当要求信号に対して、要求分の前記上り通信用帯域を前記デマンドアサイン区間に割り当て、この割り当てられた前記デマンドアサイン区間の帯域で前記端末局から送信される伝送データを受信し、
前記端末局は、前記送信データが発生した場合、前記帯域割当要求信号を前記ランダムアクセス区間で送信し、要求値に基づく伝送遅延時間で前記送信データを前記デマンドアサイン区間で送信する無線通信方法において、
前記基地局の測定区間測定部は、
所定の測定区間に基づく測定時間を測定し、
前記基地局の要求時間算出部は、
前記測定区間に相当する要求時間を、前記伝送データの前記要求値に基づいて算出し、
前記基地局の平均値算出部は、
前記測定区間および前記要求時間の平均値算出区間における、それぞれ平均測定時間および平均要求時間を算出し、
前記基地局のランダムアクセス領域長算出部は、
前記ランダムアクセス区間のスケジューリングフレームを検出した場合、複数のフレームから構成されるスケジューリング周期における平均割当ランダムアクセス領域長を算出し、前記平均測定時間、前記平均要求時間および前記平均割当ランダムアクセス領域長に基づき、前記スケジューリング周期におけるランダムアクセス領域長を決定し、
前記基地局のランダムアクセス領域長割当部は、
前記ランダムアクセス領域長に基づき、フレーム単位での割当ランダムアクセス領域長を決定する
ことを特徴とする無線通信方法。
【請求項２】
前記基地局は、
前記無線フレームにおける前記ランダムアクセス区間の占有率に基づく最大値および最小値と前記フレーム単位での前記割当ランダムアクセス領域長とを比較し、
前記フレーム単位での前記割当ランダムアクセス領域長が、前記最大値より大きい場合、前記最大値を前記フレーム単位での前記割当ランダムアクセス領域長に変更し、
決定された前記フレーム単位での前記割当ランダムアクセス領域長が、前記最小値より小さい場合、前記最小値を前記フレーム単位での前記割当ランダムアクセス領域長に変更する
ことを特徴とする請求項１に記載の無線通信方法。
【請求項３】
前記基地局は、
前記スケジューリング周期における前記ランダムアクセス領域長を決定する際、
（前記平均測定時間／前記平均要求時間）×前記平均ランダムアクセス領域長
に従い、前記スケジューリング周期における前記ランダムアクセス領域長を決定することを特徴とする請求項１あるいは２に記載の無線通信方法。
【請求項４】
前記基地局は、
前記スケジューリング周期における前記ランダムアクセス領域長を決定する際、
前記平均測定時間が所定の上限閾値より大きい場合、前記平均ランダムアクセス領域長を２倍したものを前記スケジューリング周期における前記ランダムアクセス領域長と決定し、
前記平均測定時間が所定の下限閾値より小さい場合、前記平均ランダムアクセス領域長を１／２倍したものを前記スケジューリング周期における前記ランダムアクセス領域長と決定する
ことを特徴とする請求項１あるいは２に記載の無線通信方法。
【請求項５】
前記基地局は、
前記スケジューリング周期における前記ランダムアクセス領域長を決定する際、
想定される前記スケジューリング周期における前記平均割当ランダムアクセス領域長の２倍よりも小さい値である所定の固定値が設定され、
前記平均測定時間が前記上限閾値以下で、かつ、前記平均要求時間より大きい場合、前記平均割当ランダムアクセス領域長に前記固定値を加えたものを前記スケジューリング周期に対応する前記ランダムアクセス領域長と決定し、
前記平均測定時間が前記平均要求時間以下で、かつ、前記下限閾値より大きい場合、前記平均割当ランダムアクセス領域長から前記固定値を差し引いたものを前記スケジューリング周期に対応する前記ランダムアクセス領域長と決定する
ことを特徴とする請求項４に記載の無線通信方法。
【請求項６】
前記基地局は、
前記測定時間として、前記端末局においてデータが発生した時点から、前記伝送データを受信するまでの時間を計測することを特徴とする請求項１ないし５のいずれか１項に記載の無線通信方法。
【請求項７】
前記基地局は、
前記測定時間として、前記端末局においてデータが発生した時点から、前記帯域割当要求信号を受信するまでの時間を計測することを特徴とする請求項１ないし５のいずれか１項に記載の無線通信方法。
【請求項８】
前記基地局は、
前記測定時間として、前記端末局において最初のバックオフ制御が開始した時点から、前記帯域割当要求信号を受信するまでの時間を計測することを特徴とする請求項１ないし５のいずれか１項に記載の無線通信方法。
【請求項９】
複数の端末局が共通の無線回線により基地局と接続され、
前記基地局は、前記無線回線における無線フレーム内の上り通信用帯域のうち割当済みの帯域をデマンドアサイン区間、残りの帯域をランダムアクセス区間として管理し、前記ランダムアクセス区間で受信した前記端末局からの帯域割当要求信号に対して、要求分の前記上り通信用帯域を前記デマンドアサイン区間に割り当て、この割り当てられた前記デマンドアサイン区間の帯域で前記端末局から送信される伝送データを受信し、
前記端末局は、前記送信データが発生した場合、前記帯域割当要求信号を前記ランダムアクセス区間で送信し、要求値に基づく伝送遅延時間で前記送信データを前記デマンドアサイン区間で送信する無線通信システムにおいて、
所定の測定区間に基づく測定時間を測定する前記基地局の測定区間測定部と、
前記測定区間に相当する要求時間を、前記伝送データの前記要求値に基づいて算出する前記基地局の要求時間算出部と、
前記測定区間および前記要求時間の平均値算出区間における、それぞれ平均測定時間および平均要求時間を算出する前記基地局の平均値算出部と、
前記ランダムアクセス区間のスケジューリングフレームを検出した場合、複数のフレームから構成されるスケジューリング周期における平均割当ランダムアクセス領域長を算出し、前記平均測定時間、前記平均要求時間および前記平均ランダムアクセス領域長に基づき、前記スケジューリング周期におけるランダムアクセス領域長を決定する前記基地局のランダムアクセス領域長算出部と、
前記ランダムアクセス領域長に基づき、フレーム単位での前記割当ランダムアクセス領域長を決定する前記基地局のランダムアクセス領域長割当部と
を有することを特徴とする無線通信システム。
【請求項１０】
複数の端末局と共通の無線回線により接続され、
前記無線回線における無線フレーム内の上り通信用帯域のうち割当済みの帯域をデマンドアサイン区間、残りの帯域をランダムアクセス区間として管理し、前記ランダムアクセス区間で受信した前記端末局からの帯域割当要求信号に対して、要求分の前記上り通信用帯域を前記デマンドアサイン区間に割り当て、この割り当てられた前記デマンドアサイン区間の帯域で前記端末局から送信される伝送データを受信する基地局において、
所定の測定区間に基づく測定時間を測定する前記基地局の測定区間測定部と、
前記測定区間に相当する要求時間を、前記伝送データの前記要求値に基づいて算出する前記基地局の要求時間算出部と、
前記測定区間および前記要求時間の平均値算出区間における、それぞれ平均測定時間および平均要求時間を算出する前記基地局の平均値算出部と、
前記ランダムアクセス区間のスケジューリングフレームを検出した場合、複数のフレームから構成されるスケジューリング周期における平均割当ランダムアクセス領域長を算出し、前記平均測定時間、前記平均要求時間および前記平均ランダムアクセス領域長に基づき、前記スケジューリング周期におけるランダムアクセス領域長を決定する前記基地局のランダムアクセス領域長算出部と、
前記ランダムアクセス領域長に基づき、フレーム単位での前記割当ランダムアクセス領域長を決定する前記基地局のランダムアクセス領域長割当部と
を有することを特徴とする基地局。
【発明の詳細な説明】
【技術分野】
【０００１】
本発明は、無線通信接続によりデータの送受信を行なう無線基地局と複数の無線端末との間における無線通信方法、無線通信システム、および基地局に関する。
【背景技術】
【０００２】
近年、設備制御、交通、流通、環境保全、食・農業、地震モニタリング、医療福祉などを中心とした分野において、無線タグ、Ｂｌｕｅｔｏｏｔｈ、Ｚｉｇｂｅｅ等の短距離の無線通信システムによるユビキタスネットワークが普及し始めている。今後、アプリケーションや、サービスなどの開発に伴い、本ネットワークの利用ユーザ数、端末数の増加が期待される。そこで、様々なアプリケーションや、サービスなどをより多くのユーザや端末に提供可能とし、さらに、サービスエリアを拡大できる広域ユビキタスネットワークが注目されている。
【０００３】
図５は、広域ユビキタスネットワークの略構成を示すブロック図である。図において、広域ユビキタスネットワークは、データを収集したり、各種サービスを提供したりするサーバ群１と、該サーバ群１が接続されている固定ネットワークである有線ネットワーク２と、該有線ネットワーク２に接続された複数の基地局３と、広域に点在する複数の無線端末４とから構成される。なお、図５には基地局３を１つのみ図示しており、当該基地局３には、複数の無線端末４として、無線端末４−１、４−２、…、４−Ｎが直接収容されている。
【０００４】
該広域ユビキタスネットワーク内の無線端末４は、バッテリ駆動され、データの測定や、測定データの送信等の最小限の機能しか有していない低消費電力・低機能の端末が主流である。このため、無線端末４からのトラヒックは、（１）データ量が少ない、（２）送信間隔が比較的長いという特徴を有する。そして、このような無線端末４が１つの基地局３の配下に多数存在することから、トラヒック特性としては、アップリンクのトラヒックが多く存在し、全体のトラヒック量は増大する傾向にある。さらに、該広域ユビキタスネットワークでは、できるだけ多くの無線端末４からのデータを収集することが目的となるため、１台の基地局３にできるだけ多くの無線端末４を効率良く収容する必要がある。従って、該広域ユビキタスネットワークでは、１台の基地局３で多数の低機能な無線端末４を効率良く収容しつつ、高スループット、低伝送遅延時間を実現できるＭＡＣ（Medium Access Control）プロトコルが要求される。
【０００５】
上記要求条件を満たすＭＡＣプロトコルとしては、リソース利用効率が高い集中制御手法の１つである動的スロット割当（ＤＳＡ：Dynamic Slot Assignment）方法が知られている。該動的スロット割当では、基地局が無線端末からの要求に応じた帯域（スロット）を動的に割り当てるものである。
【０００６】
図６は、ＴＤＭＡ−ＴＤＤ（Time Division Multiple Access-Time Division Duplex）におけるＭＡＣフレームの一例を示す概念図である。ＭＡＣフレームは、固定長（一定時間）であり、下りリンクと上りリンクとの２つに分かれ、下りリンクは、報知区間とデマンドアサイン区間、上りリンクは、デマンドアサイン（ＤＡ）区間とランダムアクセス（ＲＡ）区間で構成される。デマンドアサイン区間は、無線端末、あるいは無線リンク毎の帯域割当領城であり、コンテンションフリーでアクセス可能な領域である。一方、ランダムアクセス区間は、複数の無線端末が使用する領域であり、コンテンションベースのアクセス領域であり、複数のＲｃｈスロットから構成される。
また、データや、制御情報などを送受信するために、Ｂｃｈ（Broadcast control channel：ブロードキャスト制御チャネル）、Ｆｃｈ（Frame control channel：フレーム制御チャネル）、ＲＦｃｈ（Random access Feedback channel：ランダムアクセスフィードバックチャネル）、Ｃｃｈ（Control channel：制御チャネル）、Ｄｃｈ（Data channel：データチャネル）、Ｒｃｈ（Random access channel：ランダムアクセスチャネル）のチャネルが使用される。Ｂｃｈは、無線端末に基地局の属性（基地局ＩＤ、フレーム番号等）を報知するために、Ｆｃｈは、無線端末単位あるいは無線リンク単位でスロット割当を行うデマンドアサイン区間での無線端末毎あるいは無線リンク毎の帯域割当に関する情報（例えば、帯域を割り当てた無線端末あるいは無線リンクを特定可能なＩＤ、割当位置、割当量等）を通知するために、ＲＦｃｈは、ランダムアクセス情報（前フレームのランダムアクセス結果、本フレームでのランダムアクセスの開始位置及びスロット数等）を通知するために用いられる。Ｃｃｈは、帯域要求（Resource Request：ＲＲＥＱ）や、ＡＲＱ（Automatic Repeat Request）等の無線端末毎あるいは無線リンク毎の制御情報を、Ｄｃｈは、ユーザデータを送受信するために使用される。Ｒｃｈは、固定長であり、ランダムアクセスのためのチャネルであり、無線端末が無線リンクに対して上記ＲＲＥＱを送信するために使用される。
【０００７】
上記動的スロット割当（ＤＳＡ）方法には、無線端末が基地局に対して帯域要求を行うためにランダムアクセスを用いる方法がある。該ランダムアクセス方法は、バースト的に発生する非周期性のデータを柔軟かつ効率よく収容できるため、動的スロット割当方法として広く適用されている。
図７は、従来技術による、ランダムアクセス方法を用いたアップリンクのデータ送信シーケンスの一例を示すシーケンス図である。図示の例では、基地局３は、ＭＡＣフレームの先頭から順にＢｃｈ、Ｆｃｈ、ＲＦｃｈを送信する。基地局３の配下の無線端末４は、ＲＦｃｈを受信することで、そのフレームでのランダムアクセスの開始位置、Ｒｃｈスロット数を知ることができる。
【０００８】
無線端末４は、データを送信する場合、送信データのための帯域を要求するために無線端末あるいは無線リンクを特定するＩＤを含むＲＲＥＱをＲｃｈで送信する。このとき、無線端末４は、Ｅｘｐｏｎｅｎｔｉａｌバックオフアルゴリズムに基づいた送信待機時間、すなわち待機するＲｃｈ数、であるバックオフ時間を他の無線端末との衝突を回避するために自律的に決定する。ここで、バックオフ時間の開始をバックオフ制御の開始とする。無線端末４は、バックオフ時間が完了した時点で、ＲＲＥＱを待機完了直後のＲｃｈスロットで送信する。もし、このＲｃｈが、他の無線端末からのＲｃｈと衝突した場合、無線端末４は、Ｅｘｐｏｎｅｎｔｉａｌバックオフアルゴリズムを適用してＲＲＥＱを再送する。なお、この再送要否の判断は、無線端末４が次フレームのＲＦｃｈを受信し、ＲＦｃｈ中のランダムアクセス結果を参照することにより行われる。基地局３では、ＲＲＥＱを正しく受信できた場合に、次フレームのＲＦｃｈでＲＲＥＱの受信成功した無線端末あるいは無線リンクを特定するＩＤを通知し、ＲＲＥＱから帯域要求値に相当するＤｃｈを割り当てる。また、該Ｄｃｈを割り当てた次のフレームにおいて、該Ｄｃｈに対する到達確認を無線端末４に送信するためのＡＲＱ用のＣｃｈを割り当てる。
【非特許文献１】５ＧＨｚ帯アドバンスドワイヤレスアクセス（ＡＷＡ）システムの開発  −ＭＡＣ／ＤＣＬ機能−、２０００年、電子情報通信学会ソサイエティ大会、Ｂ−５−３９、ｐｐ．３２７
【発明の開示】
【発明が解決しようとする課題】
【０００９】
しかしながら、上述したアップリンクのデータ送信方法では、特に、該広域ユビキタスネットワークのように、基地局３の配下に多数の無線端末４−１、４−２、…、４−Ｎが存在する場合、ランダムアクセス区間へのＲＲＥＱ送信時に、ランダムアクセス区間へのアクセスが増加し、Ｒｃｈの衝突に伴うオーバーヘッドが増加するという問題がある。
このオーバーヘッドは、Ｅｘｐｏｎｅｎｔｉａｌバックオフアルゴリズムに基づいた送信待機時間であり、伝送特性を劣化させる要因となっている。
したがって、上述のアップリンクのデータ送信方法では、ランダムアクセス区間のトラヒック状況に伝送特性が大きく依存するため、伝送遅延時間を保証するためのランダムアクセスの制御が必要となる。
ここで、伝送遅延時間が要求されるトラヒックを優先クラスとし、伝送遅延時間が要求されていないトラヒックを非優先クラスとする。ランダムアクセスを制御する方法として、ランダムアクセス区間のアクセスパラメータである初期バックオフウィンドウ（ＩＢＷ：Initial Back off Window）サイズを非優先クラスよりも小さい値に設定することで、優先制御を実現する方法（例えば、ＩＥＥＥ８０２．１１ｅ）がある。しかし、この優先制御では、制御パラメータがサービスクラス毎に固定であり、トラヒック状況が全く考慮されないため、遅延時間を保証することが難しいという問題がある。
【００１０】
本発明は、このような事情を考慮してなされたものであり、その目的は、ランダムアクセスベースでの通信の優先制御において、優先トラヒックの伝送遅延時間を保証する無線通信方法、無線通信システム、および基地局を提供することにある。
【課題を解決するための手段】
【００１１】
上記問題を解決するために、本発明にかかる無線通信方法は、複数の端末局が共通の無線回線により基地局と接続され、前記基地局が、前記無線回線における無線フレーム内の上り通信用帯域のうち割当済みの帯域をデマンドアサイン区間、残りの帯域をランダムアクセス区間として管理し、前記ランダムアクセス区間で受信した前記端末局からの帯域割当要求信号に対して、要求分の前記上り通信用帯域を前記デマンドアサイン区間に割り当て、この割り当てられた前記デマンドアサイン区間の帯域で前記端末局から送信される伝送データを受信し、前記端末局が、前記送信データが発生した場合、前記帯域割当要求信号を前記ランダムアクセス区間で送信し、要求値に基づく伝送遅延時間で前記送信データを前記デマンドアサイン区間で送信する無線通信方法であって、前記基地局の測定区間測定部が、所定の測定区間に基づく測定時間を測定し、前記基地局の要求時間算出部が、前記測定区間に相当する要求時間を、前記伝送データの前記要求値に基づいて算出し、前記基地局の平均値算出部が、前記測定区間および前記要求時間の平均値算出区間における、それぞれ平均測定時間および平均要求時間を算出し、前記基地局のランダムアクセス領域長算出部が、前記ランダムアクセス区間のスケジューリングフレームを検出した場合、複数のフレームから構成されるスケジューリング周期における平均割当ランダムアクセス領域長を算出し、前記平均測定時間、前記平均要求時間および前記平均割当ランダムアクセス領域長に基づき、前記スケジューリング周期におけるランダムアクセス領域長を決定し、前記基地局のランダムアクセス領域長割当部は、前記ランダムアクセス領域長に基づき、フレーム単位での割当ランダムアクセス領域長を決定することを特徴とする。
【００１２】
また、本発明にかかる無線通信方法は、前記基地局が、前記無線フレームにおける前記ランダムアクセス区間の占有率に基づく最大値および最小値と前記フレーム単位での前記割当ランダムアクセス領域長とを比較し、前記フレーム単位での前記割当ランダムアクセス領域長が、前記最大値より大きい場合、前記最大値を前記フレーム単位での前記割当ランダムアクセス領域長に変更し、決定された前記フレーム単位での前記割当ランダムアクセス領域長が、前記最小値より小さい場合、前記最小値を前記フレーム単位での前記割当ランダムアクセス領域長に変更することを特徴とする。
【００１３】
また、本発明にかかる無線通信方法は、前記基地局が、前記スケジューリング周期における前記ランダムアクセス領域長を決定する際、「（前記平均測定時間／前記平均要求時間）×前記平均ランダムアクセス領域長」に従い、前記スケジューリング周期における前記ランダムアクセス領域長を決定することを特徴とする。
【００１４】
また、本発明にかかる無線通信方法は、前記基地局が、前記スケジューリング周期における前記ランダムアクセス領域長を決定する際、前記平均測定時間が所定の上限閾値より大きい場合、前記平均ランダムアクセス領域長を２倍したものを前記スケジューリング周期における前記ランダムアクセス領域長と決定し、前記平均測定時間が所定の下限閾値より小さい場合、前記平均ランダムアクセス領域長を１／２倍したものを前記スケジューリング周期における前記ランダムアクセス領域長と決定することを特徴とする。
【００１５】
また、本発明にかかる無線通信方法は、前記基地局が、前記スケジューリング周期における前記ランダムアクセス領域長を決定する際、想定される前記スケジューリング周期における前記平均割当ランダムアクセス領域長の２倍よりも小さい値である所定の固定値が設定され、前記平均測定時間が前記上限閾値以下で、かつ、前記平均要求時間より大きい場合、前記平均割当ランダムアクセス領域長に前記固定値を加えたものを前記スケジューリング周期に対応する前記ランダムアクセス領域長と決定し、前記平均測定時間が前記平均要求時間以下で、かつ、前記下限閾値より大きい場合、前記平均割当ランダムアクセス領域長から前記固定値を差し引いたものを前記スケジューリング周期に対応する前記ランダムアクセス領域長と決定することを特徴とする。
【００１６】
また、本発明にかかる無線通信方法は、前記基地局が、前記測定時間として、前記端末局においてデータが発生した時点から、前記伝送データを受信するまでの時間を計測することを特徴とする。
【００１７】
また、本発明にかかる無線通信方法は、前記基地局が、前記測定時間として、前記端末局においてデータが発生した時点から、前記帯域割当要求信号を受信するまでの時間を計測することを特徴とする。
【００１８】
また、本発明にかかる無線通信方法は、前記基地局が、前記測定時間として、前記端末局において最初のバックオフ制御が開始した時点から、前記帯域割当要求信号を受信するまでの時間を計測することを特徴とする。
【００１９】
また、本発明にかかる無線通信システムは、複数の端末局が共通の無線回線により基地局と接続され、前記基地局が、前記無線回線における無線フレーム内の上り通信用帯域のうち割当済みの帯域をデマンドアサイン区間、残りの帯域をランダムアクセス区間として管理し、前記ランダムアクセス区間で受信した前記端末局からの帯域割当要求信号に対して、要求分の前記上り通信用帯域を前記デマンドアサイン区間に割り当て、この割り当てられた前記デマンドアサイン区間の帯域で前記端末局から送信される伝送データを受信し、前記端末局が、前記送信データが発生した場合、前記帯域割当要求信号を前記ランダムアクセス区間で送信し、要求値に基づく伝送遅延時間で前記送信データを前記デマンドアサイン区間で送信する無線通信システムであって、所定の測定区間に基づく測定時間を測定する前記基地局の測定区間測定部と、前記測定区間に相当する要求時間を、前記伝送データの前記要求値に基づいて算出する前記基地局の要求時間算出部と、前記測定区間および前記要求時間の平均値算出区間における、それぞれ平均測定時間および平均要求時間を算出する前記基地局の平均値算出部と、前記ランダムアクセス区間のスケジューリングフレームを検出した場合、複数のフレームから構成されるスケジューリング周期における平均割当ランダムアクセス領域長を算出し、前記平均測定時間、前記平均要求時間および前記平均ランダムアクセス領域長に基づき、前記スケジューリング周期におけるランダムアクセス領域長を決定する前記基地局のランダムアクセス領域長算出部と、前記ランダムアクセス領域長に基づき、フレーム単位での前記割当ランダムアクセス領域長を決定する前記基地局のランダムアクセス領域長割当部とを有することを特徴とする。
【００２０】
また、本発明にかかる基地局は、複数の端末局と共通の無線回線により接続され、前記無線回線における無線フレーム内の上り通信用帯域のうち割当済みの帯域をデマンドアサイン区間、残りの帯域をランダムアクセス区間として管理し、前記ランダムアクセス区間で受信した前記端末局からの帯域割当要求信号に対して、要求分の前記上り通信用帯域を前記デマンドアサイン区間に割り当て、この割り当てられた前記デマンドアサイン区間の帯域で前記端末局から送信される伝送データを受信する基地局であって、所定の測定区間に基づく測定時間を測定する前記基地局の測定区間測定部と、前記測定区間に相当する要求時間を、前記伝送データの前記要求値に基づいて算出する前記基地局の要求時間算出部と、前記測定区間および前記要求時間の平均値算出区間における、それぞれ平均測定時間および平均要求時間を算出する前記基地局の平均値算出部と、前記ランダムアクセス区間のスケジューリングフレームを検出した場合、複数のフレームから構成されるスケジューリング周期における平均割当ランダムアクセス領域長を算出し、前記平均測定時間、前記平均要求時間および前記平均ランダムアクセス領域長に基づき、前記スケジューリング周期におけるランダムアクセス領域長を決定する前記基地局のランダムアクセス領域長算出部と、前記ランダムアクセス領域長に基づき、フレーム単位での前記割当ランダムアクセス領域長を決定する前記基地局のランダムアクセス領域長割当部とを有することを特徴とする。
【発明の効果】
【００２１】
本発明によれば、優先クラスの測定時間と要求時間に応じて、ランダムアクセス領域長（すなわち、Ｒｃｈスロット数）を動的に制御することができ、要求値が設定されている優先クラスの伝送遅延時間を保証することができる。
また、本発明によれば、優先的に確保されるランダムアクセス領域が存在することから、非優先クラスの遅延時間特性を改善することができる。
【発明を実施するための最良の形態】
【００２２】
以下、本発明の一実施形態を、図面を参照して説明する。本発明の一実施形態にかかる無線通信システムでは、平均伝送遅延時間を保証するため、優先クラスにおいて測定区間の測定を行い、要求値の測定区間に相当する要求時間を算出し、これらの平均値である平均測定時間および平均要求時間に応じてランダムアクセス領域長、すなわち、Ｒｃｈスロット数（ランダムアクセス領域長）を動的に制御するものである。これは、平均伝送遅延時間が要求されている優先クラスのデータ伝送において、データ伝送に要した時間（平均測定時間）と、平均伝送遅延時間として要求されている要求値に基づく時間（平均要求時間）に応じて、帯域割当要求信号であるＲＲＥＱのランダムアクセス領域長を動的に制御し、平均伝送遅延時間を保証するものである。
【００２３】
図１は、本発明の実施形態による無線通信システムの構成を示すブロック図である。なお、図６に対応する部分には同一の符号を付けて説明を省略する。本発明にかかる無線通信システムは、基地局３により、異なるＱｏＳ（Quality of Service）を提供する複数のサービスクラスが定義され、サービスクラス毎に異なる条件が設定されている。なお、サービスクラスとは、無線通信を利用したサービス毎のＱｏＳのレベルを判定するための指標であり、トラヒックの種類に応じて、平均伝送遅延時間、スループット、遅延ゆらぎ、パケットエラー率などによって決定される。
本実施の形態にかかる基地局３０は、平均伝送遅延時間をこのＱｏＳの判定尺度とし、例えば、サービスクラス１を優先クラス、サービスクラス２を非優先クラスとして管理し、優先クラスにおける要求値（平均伝送遅延時間）を１０秒以下に設定し、非優先クラスはベストエフォートとする処理を行う。
【００２４】
基地局３０は、無線端末（端末局）４−１〜４−Ｎ（以下、無線端末を代表して説明する場合、無線端末４のように記載する）と共通の無線回線により接続され、無線回線における無線フレーム内の上り通信用帯域のうち割当済みの帯域をデマンドアサイン区間、残りの帯域をランダムアクセス区間として管理する。基地局３０は、ランダムアクセス区間で受信した無線端末４からの帯域割当要求信号（ＲＲＥＱ）に対して、要求分の上り通信用帯域をデマンドアサイン区間に割り当て、この割り当てられたデマンドアサイン区間の帯域で無線端末４から送信される伝送データを受信する。
基地局３０は、無線端末４から送信される信号（ＲＲＥＱのＲｃｈ等）や伝送データ（Ｄｃｈ等）の受信状況を、サービスクラス毎に管理し、図１に示すとおり、測定部３００、Ｒｃｈ数算出部３１０、Ｒｃｈ数範囲判定部３２０、およびＲｃｈ割当部３３０を有する。基地局３０は、測定部３００、Ｒｃｈ数算出部３１０およびＲｃｈ数範囲判定部３２０においてＲｃｈ数を決定し、Ｒｃｈ割当部３３０においてＲｃｈ数に該当する帯域を優先的に確保し、ＭＡＣフレーム内の報知区間，デマンドアサイン区間，ランダム区間の割当を行う。基地局３０は、Ｒｃｈ数の算出・決定・確保のタイミングとして、複数フレーム（Ｎフレーム）まとめてＲｃｈをスケジューリングする。すなわち、基地局３０は、Ｎフレーム間隔に設定されているＲｃｈスケジューリングフレームを検出し、Ｒｃｈスケジューリング周期でＲｃｈスケジューリングを実行する。
【００２５】
測定部３００は、測定区間測定部３１、要求時間算出部３２、Ｒｃｈカウント部３３、平均値算出部３４、記憶部３５を含む。
【００２６】
測定区間測定部３１は、無線端末４から送信されるデータの伝達における所定の測定区間の測定時間を計測し、測定時間を記憶部３５に記憶する。この測定区間は、所定のイベントを基点として測定区間測定部３１において規定されており、例えば、無線端末４でのデータ発生時点、無線端末４でのバックオフ制御の開始時点、バックオフ制御の終了時点（すなわち基地局３０でのＲｃｈ（ＲＲＥＱ）の受信時点）、基地局３０でのデータ受信時点等がある。測定区間測定部３１は、このようなイベントを用いて規定された測定区間を計測する。測定区間としては、例えば、（１）無線端末４でのデータ発生から基地局３０でのデータ受信までの区間（伝送遅延時間に相当）、（２）無線端末４でのデータ発生から基地局３０でのＲｃｈ（ＲＲＥＱ：帯域割当要求信号）受信までの区間、（３）無線端末４でのバックオフ制御の開始から基地局３０でのＲｃｈ（ＲＲＥＱ）受信までの区間等がある。本実施の形態において、測定区間測定部３１は、（１）として規定される測定区間の測定時間を測定する。
【００２７】
要求時間算出部３２は、測定区間測定部３１で規定されている測定区間に相当する要求時間であり、無線端末４からデータ伝送時間として要求されている要求値に基づいて算出する。本実施の形態において、要求値は、サービスクラス毎に設定されている平均伝送遅延時間であって、優先クラスにおいては１０秒以下と設定されている。また、非優先クラスにおいてはベストエフォート処理が施されるため、要求値は設定されていない。よって、本実施の形態において、基地局３０により要求時間や平均要求時間が算出され、Ｒｃｈが優先的に割り当てられる優先方法が適用される対象は、優先クラスの伝送データである。
【００２８】
なお、要求時間は、上述の測定区間に応じて規定される算出方法が異なり、上記（１）の測定区間において、要求時間は、上述のとおり要求値そのものである。上記（２）の測定区間において、要求時間は、要求値から平均Ｄｃｈ割当時間（データ受信時間からＲＲＥＱ受信時間を差し引いた時間の平均）を差し引いたものである。上記（３）の測定区間において、要求時間は、要求値から平均バッファリング時間（バックオフ制御の開始時間からデータ生成時間を差しい引いた時間の平均値）と平均Ｄｃｈ割当時間を差し引いたものである。
【００２９】
Ｒｃｈカウント部３３は、平均値算出部３４が平均値を算出するために用いる平均値算出区間Ｍにおいて、基地局３０により割当られているＲｃｈ数をカウントし、カウントしたＲｃｈ数を記憶部３５に記憶する。
【００３０】
平均値算出部３４は、記憶部３５から測定区間測定部３１により測定された測定時間、要求時間算出部３２により算出された要求時間を呼び出し、複数のフレームから構成される所定長の平均値算出区間Ｍにおける、測定時間の平均値（平均測定時間）、および要求時間の平均値（平均要求時間）を算出する。
【００３１】
記憶部３５は、測定区間測定部３１により測定された測定時間、要求時間算出部３２により算出された要求時間、Ｒｃｈカウント部３３によりカウントされたＲｃｈ数、および平均値算出部３４により算出された平均測定時間および平均要求時間を記憶する。
【００３２】
Ｒｃｈ数算出部３１０は、記憶部３５に記憶されている過去の平均測定時間、平均要求時間およびＲｃｈ数に基づき、Ｒｃｈスケジューリング周期における平均割当Ｒｃｈ数（平均割当ランダムアクセス領域長）を算出する。本実施の形態において、Ｒｃｈ数算出部３１０は、平均測定時間の算出期間内（平均値算出区間Ｍ）に割り当てられたＲｃｈの総数をＲｃｈスケジューリング周期で平均することにより、平均割当Ｒｃｈ数を算出する。つまり、Ｒｃｈ数算出部３１０は、Ｒｃｈスケジューリング周期を示すＲｃｈスケジューリングフレームを検出した場合、平均値算出区間Ｍ分のカウントされたＲｃｈ数を記憶部３５から読み出し、平均割当Ｒｃｈ数を算出する。よって、Ｒｃｈ数算出部３１０は、例えば、Ｒｃｈスケジューリング周期Ｎ＝２００フレームであった場合、平均測定時間を算出するための平均値算出区間Ｍ＝１０００フレームとしてＲｃｈカウント部３３によりカウントされたＲｃｈ数＝１５０００を用いて、以下の式１に基づき平均割当Ｒｃｈ数を算出する。
【００３３】
【数１】
2010050632.tif 000003
つまり、平均割当Ｒｃｈ数は、１５０００／１０００×２００＝３０００となる。
なお、Ｒｃｈカウント部３３によりカウントされたＲｃｈ数には、残帯域によるＲｃｈの追加数も含まれるものとする。
【００３４】
Ｒｃｈ数算出部３１０は、算出した平均割当Ｒｃｈ数と、記憶部３５から読み出した平均測定時間および平均要求時間を用いて、以下の式２に基づきスケジューリング周期におけるＲｃｈ数（ランダムアクセス領域長）を算出する。
【００３５】
【数２】
2010050632.tif 000004
なお、Ｒｃｈ数算出部３１０は、Ｒｃｈスケジューリングフレームを検出する方法として、例えば、次フレームのフレーム番号とＲｃｈスケジューリング周期のフレーム数（Ｎ）の剰余をとり、所定の値（例えば０：余りなし）と一致することでＲｃｈスケジューリングフレームを検出する方法を利用している。
【００３６】
Ｒｃｈ数範囲判定部３２０は、Ｒｃｈ数算出部３１０により算出されたＲｃｈ数に基づき、割当範囲内に収まるようにＲｃｈ数を決定し、記憶部３５に記憶する。本実施の形態において、Ｒｃｈの割当範囲を定める閾値としては、１フレーム中のＲｃｈの占有率の上限値に基づく最大値、および下限値に基づく最小値が予め設定されている。Ｒｃｈ数範囲判定部３２０は、Ｒｃｈ数算出部３１０により算出されたＲｃｈ数を、予め設定されている最大値および最小値と比較することで、割当範囲内に収まるようなＲｃｈ数を決定する。すなわち、Ｒｃｈ数範囲判定部３２０は、Ｒｃｈ数算出部３１０により算出されたＲｃｈ数が最大値より大きい場合、Ｒｃｈ数を最大値に変更し、Ｒｃｈ数算出部３１０により算出されたＲｃｈ数が最小値より小さい場合、Ｒｃｈ数を最小値に変更する。
【００３７】
Ｒｃｈ割当部３３０は、Ｒｃｈ数範囲判定部３２０により決定されたＲｃｈ数に基づき、フレーム単位での割当Ｒｃｈ数（割当ランダムアクセス領域長）を算出し、該当するスロット数を優先的に確保する。本実施の形態において、Ｒｃｈ割当部３３０は、Ｒｃｈ数範囲判定部３２０により決定されたＲｃｈ数に基づき各フレームに均等に割り当てを行い、均等に割当ができない場合（端数が出る場合）は、最初のフレームから順番に１つずつ、端数分のＲｃｈ数を割り当てる。例えば、Ｒｃｈスケジューリング周期がＮ＝１０フレームであって、Ｒｃｈ数範囲判定部３２０により決定されたＲｃｈ数が１０２である場合、最初の２フレームに対してＲｃｈを１１個、残りのフレームに対してはＲｃｈを１０個割り当てる。Ｒｃｈ割当部３３０は、優先的に確保したＲｃｈ数に基づき、ＭＡＣフレーム内のランダム区間の割当を行う。なお、Ｒｃｈ割当部３３０は、割当の際、残帯域がある場合には、Ｒｃｈの追加割当を行う。
【００３８】
無線端末４は、送信データが発生した場合、バックオフ制御を開始し、帯域割当要求信号としてＲＲＥＱのＲｃｈをランダムアクセス区間で送信する。無線端末４は、ＲＲＥＱのＲｃｈをランダムアクセス区間内で送信することに成功した場合、基地局３０から割り当てられたデマンドアサイン区間で送信データを送信する。
無線端末４は、基地局３０に送信データの生成時刻を送信されるデータとともに、バックオフ制御の開始時間をＲＲＥＱとともに送信する。この情報に基づき、測定区間測定部３１は、測定区間を測定することができる。無線端末４は、例えば、時刻の情報として、フレーム番号を用いることができる。
【００３９】
なお、本実施の形態において、基地局３０における平均測定時間の算出方法は、（Ａ）所定時間（フレーム）単位で区切られた平均区間内に到着したデータに対する平均測定時間を測定する方法、として説明したが、本発明はこれに限られず、例えば、（Ｂ）受信データ数毎に平均測定時間を測定する方法、（Ｃ）上記（Ａ）または（Ｂ）の方法に対してスライディングウィンドウを設け、このウィンドウ内のデータに対して平均測定時間を算出する方法、などが利用可能である。また、平均要求時間も上述と同様にして算出することができる。
【００４０】
図２は、本実施の形態の無線通信システムにおける、ランダムアクセス方法を用いたアップリンクのデータ送信シーケンスの一例を示すシーメンス図である。図２に示すとおり、基地局３０は、ＭＡＣフレームの先頭から順にＢｃｈ、Ｆｃｈ、ＲＦｃｈを送信する。基地局３０の配下の無線端末４は、ＲＦｃｈを受信することで、そのフレームでのランダムアクセスの開始位置、スロット数を知ることができる。
【００４１】
無線端末４は、データ発生によりデータを送信する場合、送信データのための領域長を要求するためにＲＲＥＱをＲｃｈで送信する。このとき、無線端末４は、バックオフ制御がなされている場合、送信待機時間であるバックオフ時間が完了した時点で、ＲＲＥＱをＲｃｈの該当するスロットで送信する。なお図示しないが、もし、このＲｃｈが、他の無線端末からのＲｃｈと衝突した場合、無線端末４は、ＲＲＥＱを再送する。この再送要否の判断は、無線端末４が次フレームのＲＦｃｈを受信したか否かにより行われる。
基地局３０では、ＲＲＥＱを正しく受信できた場合に、次フレームのＲＦｃｈでＲＲＥＱの受信成功を通知し、ＲＲＥＱから帯域要求値に相当するＤｃｈを割り当てる。また、該Ｄｃｈを割り当てた次のフレームにおいて、該Ｄｃｈに対する到達確認を無線端末４に送信するためのＡＲＱ用のＣｃｈを割り当てる。
このようなシーケンスにおいて、上述した測定区間（１）〜（３）は、データ発生、バックオフ制御開始、ＲＲＥＱ受信時、および基地局３０のデータ受信時のイベントにおいて、図のように区別される。
【００４２】
次に、図３を用いて、基地局３０での測定フローについて説明する。
図３に示すとおり、測定区間測定部３１は、所定の測定区間の測定時間を測定し、記憶部３５に記憶する（Ｓ１）。要求時間算出部３２は、測定区間測定部３１において測定される測定区間に相当する要求時間を算出し、記憶部３５に記憶する（Ｓ２）。Ｒｃｈカウント部３３は、測定区間測定部３１により測定される測定区間に対応したフレーム内（平均値算出区間Ｍ）で、基地局３０が割り当てたＲｃｈ数をカウントし、カウントされたＲｃｈ数を記憶部３５に記憶する（Ｓ３）。平均値算出部３４は、所定の平均値フレームＭにおける、測定区間測定部３１により測定された測定時間の平均値である平均測定時間、および要求時間算出部３２により算出された要求時間の平均値である平均要求時間を算出し、記憶部３５に記憶する（Ｓ４）。
【００４３】
次に、図４を用いて、基地局３０でのＲｃｈ割当処理フローについて説明する。
Ｒｃｈ数算出部３１０は、次フレームがＲｃｈスケジューリングフレームであるか否かを検出し（Ｓ５）、次フレームがＲｃｈスケジューリングフレームであった場合（Ｓ５−ＹＥＳ）、記憶部３５に記憶されている平均値算出区間Ｍフレーム分の過去の平均測定時間、平均要求時間およびＲｃｈ数を読み出し、Ｒｃｈスケジューリング周期Ｎにおける平均割当Ｒｃｈ数を算出する（Ｓ６）。Ｒｃｈ数算出部３１０は、算出した平均割当Ｒｃｈ数と、記憶部３５から読み出した平均値算出区間Ｍフレーム分の平均測定時間および平均要求時間を用いて、上述の式２に基づきＲｃｈ数を算出する（Ｓ７）。
Ｒｃｈ数算出部３１０は、算出したＲｃｈ数をＲｃｈ数範囲判定部３２０に出力する。Ｒｃｈ数範囲判定部３２０は、入力されたＲｃｈ数と予め設定されている最大値とを比較し（Ｓ８）、Ｒｃｈ数が最大値以下であった場合（Ｓ８−ＮＯ）、このＲｃｈ数を予め設定されている最小値とさらに比較する（Ｓ９）。Ｒｃｈ数範囲判定部３２０は、Ｒｃｈ数が最小値以上であった場合（Ｓ９−ＮＯ）、入力されたＲｃｈ数をそのままＲｃｈ数と決定し、記憶部３５に記憶する。
Ｒｃｈ割当部３３０は、Ｒｃｈ数範囲判定部３２０により決定されたＲｃｈ数を記憶部３５から読み出し、このＲｃｈ数に基づきフレーム単位での割当Ｒｃｈ数を算出し、該当する帯域を優先的に確保するＲｃｈ割当処理を実行する（Ｓ１０）。
【００４４】
一方、ステップＳ８において、Ｒｃｈ数が最大値より大きかった場合（Ｓ８−ＹＥＳ）、Ｒｃｈ数範囲判定部３２０は、予め設定されている最大値をＲｃｈ数と決定し、記憶部３５に記憶する。ステップＳ１０に移行し、Ｒｃｈ割当部３３０が該決定されたＲｃｈ数を記憶部３５から読み出し、読み出したＲｃｈ数に基づき、Ｒｃｈ割当処理を実行する。
また、ステップＳ９において、Ｒｃｈ数が最小値より小さかった場合（Ｓ９−ＹＥＳ）、Ｒｃｈ数範囲判定部３２０は、予め設定されている最小値をＲｃｈ数と決定し、記憶部３５に記憶する。ステップＳ１０に移行し、Ｒｃｈ割当部３３０が該決定されたＲｃｈ数を記憶部３５から読み出し、読み出したＲｃｈ数に基づき、Ｒｃｈ割当処理を実行する。
さらに、ステップＳ５において、次フレームがＲｃｈスケジューリングフレームでなかった場合（Ｓ５−ＮＯ）、ステップＳ１０に移行し、既にＲｃｈスケジューリングにおいて決定されているＲｃｈ数を記憶部３５から読み出す。Ｒｃｈ割当部３３０は、読み出したＲｃｈ数に基づき、上述のようなＲｃｈ割当処理方法に従い、次フレーム以降のフレーム単位での割当Ｒｃｈ数を算出し、該当する帯域を優先的に確保する。
【００４５】
基地局３０は、次フレームのスケジューリングにおいて、上述のようにして確保されたＲｃｈ数に従い、報知区間、デマンドアサイン区間の帯域の割当を行う。これにより、基地局３０は、要求値が設定されている優先クラスのＲｃｈ数（ランダムアクセス区間）の帯域を優先的に確保することができる。
なお、基地局３０は、Ｒｃｈ、報知区間、デマンドアサイン区間の割当の際、残帯域がある場合には、Ｒｃｈの追加割当が行われる。
また、基地局３０は、ステップＳ６における平均割当Ｒｃｈ数を算出する際、図３を用いて測定された平均測定時間、平均要求時間およびＲｃｈ数を利用する構成であってもよく、他の方法により測定され記憶部３５に記憶されたものを利用する構成であってもよい。
さらに、図３を用いて説明した基地局３０での測定フローは、ステップＳ１〜Ｓ４の工程の順番を限定するものではなく、測定部３００が、平均測定時間、平均要求時間およびＲｃｈ数を生成するための方法を説明する一例である。
【００４６】
次に、図５を用いて、Ｒｃｈ数算出部３１０のＲｃｈ数算出処理の異なる例について説明する。このＲｃｈ数算出処理は、式２および図２に示すステップＳ７を用いて説明したＲｃｈ数算出処理に代えて、本発明にかかる無線通信システムにおいて利用することができる。このとき、Ｒｃｈ数算出部３１０は、予め設定された２つの閾値（上限閾値と下限閾値）を記憶する。なお、これら閾値は、平均値算出部３４により算出される平均要求時間との間において、上限閾値＞平均要求時間＞下限閾値となるような大小関係の下、予め設定されている。
【００４７】
図５に示すとおり、Ｒｃｈ数算出部３１０は、記憶部３５から読み出した平均測定時間と、上限閾値とを比較し（Ｓ２１）、平均測定時間が上限閾値以下の場合（Ｓ２１−ＮＯ）、平均測定時間と平均要求時間をさらに比較する（Ｓ２２）。平均測定時間が平均要求時間以下の場合（Ｓ２２−ＮＯ）、Ｒｃｈ数算出部３１０は、平均測定時間と下限閾値をさらに比較し（Ｓ２３）、平均測定時間が下限閾値以下の場合、予め算出した平均割当Ｒｃｈ数（図３のステップＳ６参照）を２で除算した値（平均割当Ｒｃｈ数／２）をＲｃｈ数と決定し、記憶部３５に記憶する（Ｓ２４）。
【００４８】
一方、ステップＳ２１において、平均測定時間が上限閾値より大きい場合（Ｓ２１−ＹＥＳ）、Ｒｃｈ数算出部３１０は、予め算出した平均割当Ｒｃｈ数を２で乗算した値（平均割当Ｒｃｈ数×２）をＲｃｈ数と決定し、記憶部３５に記憶する（Ｓ２５）。
また、ステップ２２において、平均測定時間が平均要求時間より大きい場合（Ｓ２２−ＹＥＳ）、Ｒｃｈ数算出部３１０は、予め算出した平均割当Ｒｃｈ数に所定の固定値αを加算した値（平均割当Ｒｃｈ数＋α）をＲｃｈ数と決定し、記憶部３５に記憶する（Ｓ２６）。
さらに、ステップ２３において、平均測定時間が下限閾値より大きい場合（Ｓ２３−ＹＥＳ）、Ｒｃｈ数算出部３１０は、予め算出した平均割当Ｒｃｈ数に所定の固定値αを減産した値（平均割当Ｒｃｈ数−α）をＲｃｈ数と決定し、記憶部３５に記憶する（Ｓ２７）。
【００４９】
すなわち、Ｒｃｈ数算出部３１０は、平均測定時間と、上限閾値、平均要求時間あるいは下限閾値とを比較して、平均測定時間が上限閾値より大きい場合にＲｃｈ数を平均割当Ｒｃｈ数×２とし、平均測定時間が上限閾値以下で、かつ、平均要求時間より大きい場合にＲｃｈ数を平均割当Ｒｃｈ数＋αとし、平均測定時間が平均要求時間以下で、かつ、下限閾値より大きい場合にＲｃｈ数を平均割当Ｒｃｈ数−αとし、平均測定時間が下限閾値以下の場合にＲｃｈ数を平均割当Ｒｃｈ数／２とする。
なお、固定値αは、想定される平均割当Ｒｃｈ数（例えば、図３のステップＳ８において説明した最大値）の２倍よりも小さい値となる範囲内で、予め決定され、Ｒｃｈ数算出部３１０に記憶されている。
【００５０】
なお、本発明にかかる無線通信システムは、サービスクラス毎にランダムアクセス区間領域が異なる場合においても適用可能である。つまり、優先クラスと非優先クラスの２つが設定されており、ランダムアクセス区間が異なる場合、本発明の方法を利用して、優先クラスのランダムアクセス区間を優先的に割り当て、スケジューリングの際に発生する残帯域を非優先クラスのランダムアクセス区間領域に割り当てることができる。
また、本実施の形態において、優先クラスは１つしか設定されていない構成について説明したが、本発明はこれに限られず、異なる要求値が設定された複数のサービスクラス、例えば、要求値（平均伝送遅延時間）が１０秒以下であるサービスクラス１（優先クラス）と、要求値が１０秒から２０秒以下であるサービスクラス２（優先クラス）と、ベストエフォート処理を実行するサービスクラス３（非優先クラス）が設定される構成であってもよい。この場合、本発明にかかる無線通信システムは、優先クラス毎にランダムアクセス領域長を制御することができるため、優先クラス毎に割当Ｒｃｈ数が算出され、該当する帯域を優先的に確保することができる。
【図面の簡単な説明】
【００５１】
【図１】本実施の形態にかかる無線通信システムの構成を示すブロック図である。
【図２】本実施の形態にかかる無線通信システムにおける、ランダムアクセス方法を用いたアップリンクのデータ送信シーケンスの一例を示すシーメンス図である。
【図３】本実施の形態にかかる基地局での測定フローの一例を説明するフローチャートである。
【図４】本実施の形態にかかる基地局でのＲｃｈ割当処理フローの一例を説明するフローチャートである。
【図５】本実施の形態にかかるＲｃｈ数算出処理の一例を説明するフローチャートである。
【図６】広域ユビキタスネットワークの略構成を示すブロック図である。
【図７】ＴＤＭＡ−ＴＤＤにおけるＭＡＣフレームの一例を示す概念図である。
【図８】ランダムアクセス方法を用いたアップリンクのデータ送信シーケンスの一例を示すシーケンス図である。
【符号の説明】
【００５２】
１  サーバ群
２  有線ネットワーク
３  基地局
４  無線端末
３０  基地局
３１  測定区間測定部
３２  要求時間算出部
３３  Ｒｃｈカウント部
３４  平均値算出部
３５  記憶部
３００  測定部
３１０  Ｒｃｈ数算出部
３２０  Ｒｃｈ数範囲判定部
３３０  Ｒｃｈ割当部
【図１】
2010050632.tif 000005
【図２】
2010050632.tif 000006
【図３】
2010050632.tif 000007
【図４】
2010050632.tif 000008
【図５】
2010050632.tif 000009
【図６】
2010050632.tif 000010
【図７】
2010050632.tif 000011
【図８】
2010050632.tif 000012